(57)【要約】【課題】キーロック機能を有する情報処理装置において、セキュリティを保ちつつ、ユーザの利便性も改善させる。【解決手段】本発明に係る情報処理装置１０は、入力部１２と状態間の遷移を制御する制御部１８とを備え、制御部１８は、第１のキーロック状態において入力部１２が第１のキーロック解除操作を検出すると、情報処理装置１０を第１のアンロック状態へ遷移させ、第２のキーロック状態において入力部１２が第２のキーロック解除操作を検出すると、情報処理装置１０を第２のアンロック状態へ遷移させ、第１のアンロック状態において入力部１２が所定の操作を検出すると、情報処理装置１０を第２のアンロック状態へ遷移させる。【選択図】図２
2014107723.tif 000002
【特許請求の範囲】
【請求項１】
キーロック機能を有する情報処理装置において、
ユーザの入力操作を検出する入力部と、
複数のキーロック状態および複数のアンロック状態において、状態間の遷移を制御する制御部とを備え、
前記複数のキーロック状態は、第１のキーロック状態および前記第１のキーロック状態とは異なる第２のキーロック状態を含み、
前記複数のアンロック状態は、第１のアンロック状態および前記第１のアンロック状態とは異なる第２のアンロック状態を含み、
前記制御部は、前記第１のキーロック状態において前記入力部が第１のキーロック解除操作を検出すると、前記情報処理装置を前記第１のアンロック状態へ遷移させ、
前記制御部は、前記第２のキーロック状態において前記入力部が第２のキーロック解除操作を検出すると、前記情報処理装置を前記第２のアンロック状態へ遷移させ、
前記制御部は、前記第１のアンロック状態において前記入力部が所定の操作を検出すると、前記情報処理装置を前記第２のアンロック状態へ遷移させる
ことを特徴とする情報処理装置。
【請求項２】
請求項１に記載の情報処理装置において、前記第１のキーロック解除操作と前記第２のキーロック解除操作とは異なる操作であることを特徴とする情報処理装置。
【請求項３】
請求項１に記載の情報処理装置において、前記第１のキーロック解除操作は前記情報処理装置の持ち主が当該第１のキーロック解除操作をしていることを認証する操作であり、前記第２のキーロック解除操作は認証を伴わない操作であることを特徴とする情報処理装置。
【請求項４】
請求項１乃至３のいずれか１項に記載の情報処理装置において、前記制御部は、
前記第１のアンロック状態になってから、前記入力部が入力操作を検出せずに第１のタイマ時間が経過すると、前記情報処理装置を前記第１のキーロック状態に遷移させ、
前記第２のアンロック状態になってから、前記入力部が入力操作を検出せずに第２のタイマ時間が経過すると、前記情報処理装置を前記第２のキーロック状態に遷移させ、
前記第１のアンロック状態から前記第２のアンロック状態に遷移してから、前記所定の操作によって設定されたタイマ時間が経過すると、前記情報処理装置を前記第１のアンロック状態に遷移させることを特徴とする情報処理装置。
【請求項５】
請求項４に記載の情報処理装置において、前記タイマ時間は前記第２のタイマ時間よりも長いことを特徴とする情報処理装置。
【請求項６】
キーロック機能を有する情報処理装置における状態制御方法において、制御部が、
第１のキーロック状態において第１のキーロック解除操作を検出すると、前記情報処理装置を第１のアンロック状態へ遷移させるステップと、
第２のキーロック状態において第２のキーロック解除操作を検出すると、前記情報処理装置を第２のアンロック状態へ遷移させるステップと、
前記第１のアンロック状態において所定の操作を検出すると、前記情報処理装置を前記第２のアンロック状態へ遷移させるステップと
を含むことを特徴とする状態制御方法。
【請求項７】
キーロック機能を有する情報処理装置が備える制御部に、
第１のキーロック状態において第１のキーロック解除操作を検出すると、前記情報処理装置を第１のアンロック状態へ遷移させるステップと、
第２のキーロック状態において第２のキーロック解除操作を検出すると、前記情報処理装置を第２のアンロック状態へ遷移させるステップと、
前記第１のアンロック状態において所定の操作を検出すると、前記情報処理装置を前記第２のアンロック状態へ遷移させるステップと
を実行させるプログラム。
【発明の詳細な説明】
【技術分野】
【０００１】
本発明は、一般に、情報処理装置、状態制御方法およびプログラムに関し、特に、キーロック機能を有する情報処理装置、状態制御方法およびプログラムに関するものである。
【背景技術】
【０００２】
スマートフォンなどに代表される情報処理装置には、誤操作や不正使用などを防ぐためにキーロック機能が設けられているものが多い。キーロック機能を有する情報処理装置は、キーロック状態にあるときはユーザの操作を受け付けず、キーロックが解除されるとユーザの操作を受け付けるようになる。
【０００３】
誤操作の防止のみを目的とするものとして、例えば、ハードウェアやソフトウェアにより実装されているスライドキーがある。スライドキーによりキーロック状態にした場合は、ユーザは単にスライド操作をすることによってキーロック状態を解除することができる。また、キーロック状態をキーボタンの長押しによって解除する発明も知られている（例えば、特許文献１参照）。
【０００４】
また、情報処理装置の持ち主以外による不正使用の防止を目的とする場合は、暗証番号の入力や顔認証などにより持ち主が操作しているか否かを認証することによってキーロック状態を解除するものがある。
【０００５】
図６に、キーロック機能を有する従来の情報処理装置におけるキーロック状態とアンロック状態との間の状態遷移の例を示す。キーロック状態は、情報処理装置がユーザ操作を受け付けない状態であり、アンロック状態は、情報処理装置がユーザ操作を受け付ける状態である。
【０００６】
アンロック状態において、所定の時間を設定された無操作監視タイマがタイムアウトするか、または、キーロック操作が実行された場合、情報処理装置はキーロック状態に遷移する。また、キーロック状態において、キーロック解除操作が実行された場合、情報処理装置はアンロック状態に遷移する。
【先行技術文献】
【特許文献】
【０００７】
【特許文献１】特開２００９−２３９４７７号公報
【発明の概要】
【発明が解決しようとする課題】
【０００８】
セキュリティ向上の観点からは、情報処理装置をキーロック状態からアンロック状態に遷移させるキーロック解除操作は、スライドキーの操作のような簡易的な操作ではなく暗証番号の入力などのような認証を伴う操作とすることが好ましい。また、無操作状態が続いた場合に自動的にアンロック状態からキーロック状態に遷移させるタイマの設定時間は、短い時間に設定しておくことが好ましい。
【０００９】
しかしながら、キーロック解除操作を暗証番号入力のような認証を伴う操作にしたり、また、自動的にアンロック状態からキーロック状態に遷移させるタイマの設定時間を短くしたりすると、セキュリティは向上するものの下記のような問題が生じ得る。
【００１０】
ある程度長い時間（例えば数１０分程度）は継続して情報処理装置を使用するが、アンロック状態からキーロック状態に自動的に遷移させるタイマの設定時間程度（例えば数分程度）の無操作時間は頻繁に生じ得るような使い方をする場合、ユーザが継続して使用しているにも関わらず、頻繁に情報処理装置がキーロック状態に遷移することが起こり得る。この場合、キーロック状態に遷移する度にユーザは暗証番号の入力操作などの認証操作をする必要があり、ユーザにとって負担となる。このような使い方をする前に、一時的にタイマの設定時間を延ばすことも考えられるが、通常、タイマの設定変更は手間がかかり、やはりユーザにとって負担となる。
【００１１】
また、家族や友人のような信用できる相手に、スマートフォンに保存している情報（例えば、写真など）を見せるような場合は、スマートフォンをアンロック状態にして相手に渡し、自由に操作して写真などを見てもらう場合などが多い。このような場合も、タイマの設定時間が短いと、頻繁にキーロック状態に遷移することが起こり得る。そうすると、キーロック状態になる度に、スマートフォンの持ち主が暗証番号を入力する操作などをする必要があり手間である。また、この場合、スマートフォンを貸していた相手の近くで暗証番号を入力する可能性が高く、暗証番号の漏洩を引き起こす原因になり得る。
【００１２】
また、上述のように、キーロック解除操作は、暗証番号の入力などの認証を伴う操作であることが多い。そのため、不特定多数が存在する場所で、この認証を伴う操作を行うキーロック解除操作を頻繁に行うことは、認証を伴う操作（例えば、暗証番号の入力）を周囲に対してさらす機会を増やすことになり、この認証を伴う操作に関する内容の漏洩を引き起こす原因になり得る。
【００１３】
したがって、かかる点に鑑みてなされた本発明の目的は、キーロック機能を有する情報処理装置において、セキュリティを保ちつつ、ユーザの利便性も改善させることができる情報処理装置、状態制御方法およびプログラムを提供することにある。
【課題を解決するための手段】
【００１４】
上記課題を解決するため、本発明に係る情報処理装置は、キーロック機能を有する情報処理装置において、ユーザの入力操作を検出する入力部と、複数のキーロック状態および複数のアンロック状態において、状態間の遷移を制御する制御部とを備え、前記複数のキーロック状態は、第１のキーロック状態および前記第１のキーロック状態とは異なる第２のキーロック状態を含み、前記複数のアンロック状態は、第１のアンロック状態および前記第１のアンロック状態とは異なる第２のアンロック状態を含み、前記制御部は、前記第１のキーロック状態において前記入力部が第１のキーロック解除操作を検出すると、前記情報処理装置を前記第１のアンロック状態へ遷移させ、前記制御部は、前記第２のキーロック状態において前記入力部が第２のキーロック解除操作を検出すると、前記情報処理装置を前記第２のアンロック状態へ遷移させ、前記制御部は、前記第１のアンロック状態において前記入力部が所定の操作を検出すると、前記情報処理装置を前記第２のアンロック状態へ遷移させることを特徴とする。
【００１５】
また、本発明に係る情報処理装置において、前記第１のキーロック解除操作と前記第２のキーロック解除操作とは異なる操作であることを特徴とする。
【００１６】
また、本発明に係る情報処理装置において、前記第１のキーロック解除操作は前記情報処理装置の持ち主が当該第１のキーロック解除操作をしていることを認証する操作であり、前記第２のキーロック解除操作は認証を伴わない操作であることを特徴とする。
【００１７】
また、本発明に係る情報処理装置において、前記制御部は、前記第１のアンロック状態になってから、前記入力部が入力操作を検出せずに第１のタイマ時間が経過すると、前記第１のロック状態に遷移させ、前記第２のアンロック状態になってから、前記入力部が入力操作を検出せずに第２のタイマ時間が経過すると、前記第２のロック状態に遷移させ、前記第１のアンロック状態から前記第２のアンロック状態に遷移してから、前記所定の操作によって設定されたタイマ時間が経過すると、前記第１のアンロック状態に遷移させることを特徴とする。
【００１８】
また、本発明に係る情報処理装置において、前記タイマ時間は前記第２のタイマ時間よりも長いことを特徴とする。
【００１９】
また、上記課題を解決するため、本発明に係る状態制御方法は、キーロック機能を有する情報処理装置における状態制御方法において、制御部が、第１のキーロック状態において第１のキーロック解除操作を検出すると、前記情報処理装置を第１のアンロック状態へ遷移させるステップと、第２のキーロック状態において第２のキーロック解除操作を検出すると、前記情報処理装置を第２のアンロック状態へ遷移させるステップと、前記第１のアンロック状態において所定の操作を検出すると、前記情報処理装置を前記第２のアンロック状態へ遷移させるステップとを含むことを特徴とする。
【００２０】
また、上記課題を解決するため、本発明に係るプログラムは、キーロック機能を有する情報処理装置が備える制御部に、第１のキーロック状態において第１のキーロック解除操作を検出すると、前記情報処理装置を第１のアンロック状態へ遷移させるステップと、第２のキーロック状態において第２のキーロック解除操作を検出すると、前記情報処理装置を第２のアンロック状態へ遷移させるステップと、前記第１のアンロック状態において所定の操作を検出すると、前記情報処理装置を前記第２のアンロック状態へ遷移させるステップとを実行させる。
【発明の効果】
【００２１】
本発明によれば、キーロック機能を有する情報処理装置において、セキュリティを保ちつつ、ユーザの利便性も改善させることができる。
【図面の簡単な説明】
【００２２】
【図１】本発明の一実施形態に係る情報処理装置の概略構成を示す図である。
【図２】本発明の一実施形態に係る情報処理装置の状態遷移を示す図である。
【図３】本発明の一実施形態に係る情報処理装置において、第２のアンロック状態を継続する時間を設定する操作の例を示す図である。
【図４】本発明の一実施形態に係る情報処理装置において、タイマ時間が表示されている様子の一例を示す図である。
【図５】図４のタイマ時間表示のいくつかの表示例を示す図である。
【図６】従来の情報処理装置におけるキーロック状態とアンロック状態との間の状態遷移を示す図である。
【発明を実施するための形態】
【００２３】
以下、本発明に係る実施形態について、図面を参照して説明する。
【００２４】
図１は、本発明の一実施形態に係る情報処理装置の概略構成を示す図である。情報処理装置１０は、入力部１２、表示部１４、記憶部１６および制御部１８を備える。
【００２５】
情報処理装置１０は、アンロック状態とキーロック状態を有し、アンロック状態においてはユーザによる入力操作を受け付けるが、キーロック状態においてはユーザによる入力操作を受け付けない。ユーザによるキーロック解除操作により、情報処理装置１０はキーロック状態からアンロック状態に遷移し、情報処理装置１０は、ユーザの入力操作を受け付けるようになる。
【００２６】
情報処理装置１０は、複数のアンロック状態と複数のキーロック状態とを有する。各々の状態の詳細、および、状態間の遷移の条件などについての詳細は後述する。
【００２７】
入力部１２は、例えば、タッチセンサ、キーボード、ボタン、スイッチまたはカメラなどのようなユーザの入力を検出可能な装置であり、情報処理装置１０に対するユーザの入力操作、例えば、アプリケーションの操作や各種設定操作などを検出する。また、入力部１２は、ユーザによるキーロック操作やキーロック解除操作などを検出する。
【００２８】
表示部１４は、例えば、液晶ディスプレイなどであり、各種情報を表示する。
【００２９】
記憶部１６は、タイマの設定時間やキーロック解除操作時に必要な認証用の暗証番号などを記憶する。
【００３０】
制御部１８は、情報処理装置１０がキーロック状態にあるときに、入力部１２がユーザによるキーロック解除操作を検出すると、情報処理装置１０をアンロック状態に遷移させる。また、制御部１８は、情報処理装置１０がアンロック状態にあるときに、入力部１２がユーザによるキーロック操作を検出すると、情報処理装置１０をキーロック状態に遷移させる。
【００３１】
図２は、本発明の一実施形態に係る情報処理装置の状態遷移を示す図である。
【００３２】
図２に示すように、情報処理装置１０は、通常ロックモードと簡易ロックモードとを有する。
【００３３】
情報処理装置１０は、通常ロックモードにおいては、第１のキーロック状態または第１のアンロック状態のいずれかの状態にある。第１のキーロック状態において、入力部１２がキーロック解除操作（第１のキーロック解除操作）を検出すると、制御部１８は、情報処理装置１０を第１のアンロック状態に遷移させる。ここで、キーロック解除操作は、暗証番号の入力や顔認証など、情報処理装置１０の持ち主自身がキーロック解除操作をしていることを認証できるような操作である。したがって、キーロック解除操作は、セキュリティレベルは高いが、一方で、ユーザにとって手間のかかる操作である。
【００３４】
第１のアンロック状態において、入力部１２が、予め設定された所定のタイマ時間（以下、「タイマＡ」と称する）の間、ユーザによる操作を検出せず、タイマＡがタイムアウトした場合、制御部１８は、情報処理装置１０を第１のキーロック状態に遷移させる。タイマＡは、ユーザの設定操作によって設定され、予め記憶部１６に記憶されている。セキュリティ向上の観点からは、タイマＡは数分程度の短い時間であることが好ましい。
【００３５】
また、制御部１８は、第１のアンロック状態において入力部１２が第１のキーロック操作を検出した場合にも、情報処理装置１０を第１のアンロック状態から第１のキーロック状態に遷移させる。
【００３６】
情報処理装置１０は、簡易ロックモードにおいては、第２のキーロック状態または第２のアンロック状態のいずれかの状態にある。第２のキーロック状態において、入力部１２が簡易キーロック解除操作（第２のキーロック解除操作）を検出すると、制御部１８は、情報処理装置１０を第２のアンロック状態に遷移させる。ここで、簡易キーロック解除操作は、例えば入力部１２がタッチセンサである場合は、単にタッチセンサ上で指をスライドさせるような簡易的な操作であり、情報処理装置１０の持ち主自身が操作することを必要としない操作である。したがって、簡易キーロック解除操作は、セキュリティレベルは低いが、一方で、ユーザにとって手間のかからない操作である。
【００３７】
第２のアンロック状態において、入力部１２が、予め設定された所定のタイマ時間（以下、「タイマＢ」と称する）の間、ユーザによる操作を検出せず、タイマＢがタイムアウトした場合、制御部１８は、情報処理装置１０を第２のキーロック状態に遷移させる。タイマＢは、ユーザの設定操作によって設定され、予め記憶部１６に記憶されている。タイマＢはタイマＡと同じ時間でも異なる時間でもよい。タイマＢをタイマＡと同じ時間にする場合は、ユーザによる設定操作を共通にすると、ユーザの設定操作にかかる工数を低減することもできる。
【００３８】
また、制御部１８は、第２のアンロック状態において入力部１２が第２のキーロック操作を検出した場合にも、情報処理装置１０を第２のアンロック状態から第２のキーロック状態に遷移させる。
【００３９】
制御部１８は、入力部１２が、第１のアンロック状態において簡易ロックモード開始操作を検出すると、情報処理装置１０を第２のアンロック状態に遷移させる。これにより、情報処理装置１０は、通常ロックモードから簡易ロックモードに移行する。
【００４０】
簡易ロックモード開始操作は、ハードキーを操作する方法やソフトウェア上で設定する方法など様々な方法とすることができる。一例として、入力部１２がタッチセンサである場合における、直感的な簡易ロックモード開始操作を図３の説明において後述する。
【００４１】
簡易ロックモードにおいて、設定されたタイマ時間（以下、「タイマＣ」と称する）が経過し、タイマＣがタイムアウトすると、制御部１８は、情報処理装置１０を簡易ロックモードから通常ロックモードに移行させる。情報処理装置１０が第２のアンロック状態である場合にタイマＣがタイムアウトすると、制御部１８は、情報処理装置１０を第１のアンロック状態に遷移させ、情報処理装置１０が第２のキーロック状態である場合にタイマＣがタイムアウトすると、制御部１８は、情報処理装置１０を第１のキーロック状態に遷移させる。
【００４２】
タイマＣは、ユーザによる設定操作によって予め設定して記憶部１６に保存しておいてもよいし、簡易ロックモード開始操作時にユーザが設定してもよい。例えば、家族や友人などのような信用できる相手に、一時的に簡易ロックモードで情報処理装置１０を操作させることを許可する場合は、タイマＣを数１０分程度に設定してから情報処理装置１０を渡すことが適当であると想定される。しかしながら、これは一例であり、情報処理装置１０の持ち主は、用途に応じて、適切な時間をタイマＣとして設定することができる。制御部１８は、入力部１２がタイマＣへの時間設定を検出すると、タイマＣの設定時間を記憶部１６に記憶させる。
【００４３】
また、制御部１８は、入力部１２が所定の簡易ロックモード解除操作を検出することにより、情報処理装置１０を第２のアンロック状態から第１のアンロック状態に遷移させる。
【００４４】
また、制御部１８は、第２のアンロック状態において入力部１２が第１のキーロック操作を検出した場合は、情報処理装置１０を第１のキーロック状態に遷移させる。
【００４５】
また、制御部１８は、第２のキーロック状態において、タイマＣがタイムアウトした場合、入力部１２が簡易ロックモード解除操作を検出した場合、または、第１のキーロック操作を検出した場合は、情報処理装置１０を第１のキーロック状態に遷移させる。
【００４６】
図３に、例えば、入力部１２がタッチセンサである場合において、ユーザが入力部１２の２点に接触して、タイマＣを設定する様子を示す。
【００４７】
図３（ａ）は、ユーザが、第１のアンロック状態において、簡易ロックモード開始操作とタイマＣの設定を同時にする操作、または、第２のアンロック状態においてタイマＣを延長する操作を示す。例えば、ユーザは親指で入力部１２の接触点Ａに接触し、人差し指で略扇形になるように略時計回りの方向に接触点Ｂから接触点Ｂ’まで入力部１２をなぞる操作をする。
【００４８】
第１のアンロック状態において、入力部１２が図３（ａ）に示す操作を検出すると、制御部１８は、接触点Ｂから接触点Ｂ’までの長さに応じたタイマ時間Ｃを設定して、情報処理装置１０を第１のアンロック状態から第２のアンロック状態に遷移させる。なお、情報処理装置１０を第１のアンロック状態から第２のアンロック状態に遷移させる操作については、図３（ａ）に示す操作ではなく別のキー操作などを割り当ててもよい。
【００４９】
第２のアンロック状態において、入力部１２が図３（ａ）に示す操作を検出すると、制御部１８は、接触点Ｂから接触点Ｂ’までの長さに応じた時間だけ、タイマＣの時間を延長させる。
【００５０】
図３（ｂ）は、ユーザが、第２のアンロック状態においてタイマＣを短縮する操作を示す。例えば、ユーザは親指で入力部１２の接触点Ａに接触し、人差し指で略扇形になるように略反時計回りの方向に接触点Ｂ’から接触点Ｂまで入力部１２をなぞる操作をする。
【００５１】
第２のアンロック状態において、入力部１２が図３（ｂ）に示す操作を検出すると、制御部１８は、接触点Ｂ’から接触点Ｂまでの長さに応じた時間だけ、タイマＣの時間を短縮させる。短縮された結果、タイマＣが負の時間またはゼロになる場合は、制御部１８は、情報処理装置１０を第２のアンロック状態から第１のアンロック状態に遷移させる。
【００５２】
図３（ｃ）は、第２のアンロック状態において、例えば、ユーザが親指で入力部１２の接触点Ａに接触し、人差し指で略扇形になるように略時計回りまたは略反時計回りの方向に接触点Ｂを基点として入力部１２をなぞる操作をした場合の、タイマＣの増減時間を示す概念図である。図３（ｃ）に示すように、略時計回りになぞられた距離が長いと、制御部１８はタイマＣをより延長し、略反時計回りになぞられた距離が長いと、制御部１８はタイマＣをより短縮する。略反時計回りになぞられた距離が十分に長く、タイマＣが負の時間またはゼロになる場合は、制御部１８は、情報処理装置１０を第２のアンロック状態から第１のアンロック状態に遷移させる。
【００５３】
また、制御部１８は、入力部１２がタッチセンサであって表示部１４と重なっている場合、ユーザが図３（ｃ）に示す操作を実行中に、表示部１４に図３（ｃ）に示すような時間を表示させて、ユーザがタイマＣの時間を直感的に把握できるようにすることもできる。
【００５４】
図４は、本発明の一実施形態に係る情報処理装置において、表示部１４にタイマＣの時間が示されている様子の一例を示す図である。
【００５５】
制御部１８は、図４に示す例においては、表示部１４内の情報表示エリア２１に、タイマＣの時間を示す表示２３を表示するように制御している。図４に示す例においては、制御部１８は、円の中に「８」という数字を表示させており、これは、タイマＣの残り時間が８分であることを示す。
【００５６】
図５は、タイマＣの残り時間を示す表示のいくつかの例を示す図である。
【００５７】
制御部１８は、図５（ａ）に示すように、タイマＣの時間を数字によって示すように表示部１４を制御することができる。図５（ａ）は、表示部１４に数字の「８」が表示されている場合を示し、タイマＣの残り時間が８分であることを示す。
【００５８】
また、制御部１８は、図５（ｂ）に示すように、タイマＣの時間を円グラフによって示すように表示部１４を制御することができる。
【００５９】
また、制御部１８は、図５（ｃ）に示すように、タイマＣの時間を円グラフに数字を重ねた表示によって示すように表示部１４を制御することができる。
【００６０】
このように、本実施形態によれば、情報処理装置１０が複数のキーロック状態および複数のアンロック状態を有することにより、キーロック状態の種類に応じてキーロック解除操作のセキュリティのレベルに差をつけることができ、セキュリティを保ちつつ、ユーザの利便性を改善させることができる。
【００６１】
また、第１のキーロック解除操作と第２のキーロック解除操作とを異なる操作とすることにより、セキュリティを保ちつつ、ユーザの利便性を改善させることができる。
【００６２】
また、第１のキーロック解除操作は、情報処理装置１０の持ち主による暗証番号の入力などの認証を伴う操作とし、第２のキーロック解除操作は認証を伴わない簡易的な操作とすることにより、通常時は高いセキュリティを保ちつつ、信用できる相手に情報処理装置１０を貸す場合などは利便性を向上させることができる。
【００６３】
また、第１のキーロック解除操作は、情報処理装置１０の持ち主による暗証番号の入力などの認証を伴う操作とし、第２のキーロック解除操作は、認証を伴わない簡易的な操作とすることにより、情報処理装置１０の持ち主は、使用する状況に応じて、認証を伴う操作によるキーロック解除操作の頻度を調整できるようになる。これにより、情報処理装置の持ち主は、認証を伴うキーロック解除操作の頻度を最小限にとどめることができ、情報処理装置のセキュリティを向上させることができる。
【００６４】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【符号の説明】
【００６５】
１０  情報処理装置
１２  入力部
１４  表示部
１６  記憶部
１８  制御部
【図１】
2014107723.tif 000003
【図２】
2014107723.tif 000004
【図３】
2014107723.tif 000005
【図４】
2014107723.tif 000006
【図５】
2014107723.tif 000007
【図６】
2014107723.tif 000008